(57)【要約】【課題】  手話の使用者と非使用者間のリアルタイムの会話を可能とするとともに、手話使用者側に特別な装置を設置することなく手話による会話を可能とする携帯電話を得る。【解決手段】  送信元の携帯電話では、手話モードのときカメラ９から入力される手話情報を、手話及び音声・文字変換部５ａにより音声または文字情報に変換して、送受信部２により基地局に送信し、基地局を介して相手の携帯電話に送信されると共に、相手の携帯電話からの音声または文字情報は、基地局を介して送信元の携帯電話に伝えられ、手話及び音声・文字変換部５ａにより手話情報に変換されて、表示部３に表示されるようにして、リアルタイムで手話による会話を可能にした。【選択図】図１
2005197889.tif 000002
【特許請求の範囲】
【請求項１】
手話情報が入力される手話入力部、上記手話情報と音声情報とを同じ意味を成すように相互に変換する手話音声変換部、通話状態で上記手話入力部により入力された手話情報から、上記手話音声変換部により変換された音声情報を基地局に送信すると共に上記基地局から音声情報を受信する送受信部、及びこの送受信部により受信された音声情報に基づき上記手話音声変換部により変換された手話情報を表示する表示部を備え、上記手話音声変換部は、上記基地局に配置された手話パターンが格納された手話パターンライブラリ及び音声パターンが格納された音声ライブラリを参照して上記変換を行うことを特徴とする携帯電話。
【請求項２】
手話情報が入力される手話入力部、通話状態で上記手話入力部により入力された手話情報を上記基地局に送信すると共に、手話情報と音声情報とを同じ意味を成すように相互に変換する手話音声変換部を有する上記基地局に手話モードを通知しておくことにより上記基地局から手話情報を受信する送受信部、及びこの送受信部により受信された手話情報を表示する表示部を備えたことを特徴とする携帯電話。
【請求項３】
手話情報が入力される手話入力部、上記手話情報と文字情報とを同じ意味を成すように相互に変換する手話文字変換部、通話状態で上記手話入力部により入力された手話情報から、上記手話文字変換部により変換された文字情報を基地局に送信すると共に上記基地局から文字情報を受信する送受信部、及びこの送受信部により受信された文字情報に基づき上記手話文字変換部により変換された手話情報を表示する表示部を備え、上記手話文字変換部は、上記基地局に配置された手話パターンが格納された手話パターンライブラリを参照して上記変換を行うことを特徴とする携帯電話。
【請求項４】
手話情報が入力される手話入力部、通話状態で上記手話入力部により入力された手話情報を上記基地局に送信すると共に、手話情報と文字情報とを同じ意味を成すように相互に変換する手話文字変換部を有する上記基地局に手話モードを通知しておくことにより上記基地局から手話情報を受信する送受信部、及びこの送受信部により受信された手話情報を表示する表示部を備えたことを特徴とする携帯電話。
【請求項５】
通話状態で手話情報を音声情報に変換して送信すると共に受信した音声情報を手話情報に変換する携帯電話、及びこの携帯電話の上記変換時に参照される手話パターンライブラリ及び音声ライブラリを保有する基地局を備え、上記携帯電話は、手話情報が入力される手話入力部と、上記手話情報と音声情報とを同じ意味を成すように相互に変換する手話音声変換部と、上記手話入力部により入力された手話情報から、上記手話音声変換部により変換された音声情報を基地局に送信すると共に上記基地局から音声情報を受信する送受信部と、この送受信部により受信された音声情報に基づき上記手話音声変換部により変換された手話情報を表示する表示部とにより構成され、上記基地局は、上記手話音声変換部により参照される手話パターンが格納された上記手話パターンライブラリ及び音声パターンが格納された上記音声ライブラリを有することを特徴とする手話通信システム。
【請求項６】
手話モードの通話状態で手話情報を送信する携帯電話、及びこの携帯電話の上記手話情報が送信され、この送信された手話情報を音声情報に変換すると共に上記携帯電話が手話モードのときは手話情報を上記携帯電話に送信する基地局を備え、上記携帯電話は、手話情報が入力される手話入力部と、この手話入力部により入力された手話情報を上記基地局に送信すると共に上記基地局に手話モードを通知しておくことにより上記基地局から手話情報を受信する送受信部と、この送受信部により受信された手話情報を表示する表示部とにより構成され、上記基地局は、手話情報と音声情報とを同じ意味を成すように相互に変換する手話音声変換部を有することを特徴とする手話通信システム。
【請求項７】
通話状態で手話情報を文字情報に変換して送信すると共に受信した文字情報を手話情報に変換する携帯電話、及びこの携帯電話の上記変換時に参照される手話パターンライブラリを保有する基地局を備え、上記携帯電話は、手話情報が入力される手話入力部と、上記手話情報と文字情報とを同じ意味を成すように相互に変換する手話文字変換部と、上記手話入力部により入力された手話情報から、上記手話文字変換部により変換された文字情報を基地局に送信すると共に上記基地局から文字情報を受信する送受信部と、この送受信部により受信された文字情報に基づき上記手話文字変換部により変換された手話情報を表示する表示部とにより構成され、上記基地局は、上記手話文字変換部により参照される手話パターンが格納された上記手話パターンライブラリを有することを特徴とする手話通信システム。
【請求項８】
手話モードの通話状態で手話情報を送信する携帯電話、及びこの携帯電話の上記手話情報が送信され、この送信された手話情報を文字情報に変換すると共に上記携帯電話が手話モードのときは手話情報を上記携帯電話に送信する基地局を備え、上記携帯電話は、手話情報が入力される手話入力部と、この手話入力部により入力された手話情報を上記基地局に送信すると共に上記基地局に手話モードを通知しておくことにより上記基地局から手話情報を受信する送受信部と、この送受信部により受信された手話情報を表示する表示部とにより構成され、上記基地局は、手話情報と文字情報とを同じ意味を成すように相互に変換する手話文字変換部を有することを特徴とする手話通信システム。
【発明の詳細な説明】
【技術分野】
【０００１】
この発明は、通話状態で手話による会話を可能にした携帯電話、及び携帯電話を用いて通話状態で手話による会話を可能にした手話通信システムに関するものである。
【背景技術】
【０００２】
従来技術においては、手話動作を音声言語に変換したり音声言語で入力された情報を手話動作に変換し、入力情報に含まれる言語情報及び非言語情報をメールとして送受信可能とする（例えば特許文献１参照）、もしくはテレビ電話にて手話電話装置を聴覚障害者側に置き、手話を音声にもしくは音声を手話に翻訳し、健聴者との会話を可能としている。（例えば特許文献２）
【０００３】
【特許文献１】特開２０００−２１４７６４号公報（第３〜８頁、図１）
【特許文献２】再表９７／００８８９５号公報（第１０〜２８頁、図１）
【発明の開示】
【発明が解決しようとする課題】
【０００４】
特許文献１では、手話と音声もしくは文字への変換を行い、メールとして送受信しているため、リアルタイムに会話を行うことができないという問題があった。
また、特許文献２では、聴覚障害者側のテレビ電話に手話電話装置の設置が必要であるなどの問題があった。
【０００５】
この発明は、上記のような課題を解決するためになされたものであり、手話の使用者と非使用者間のリアルタイムの会話を可能とするとともに、手話使用者側に特別な装置を設置することなく手話による会話を可能とする携帯電話を得ることを第一の目的にしている。
また、手話の使用者と非使用者間の携帯電話を用いたリアルタイムの会話を可能とするとともに、手話使用者側に特別な装置を設置することなく手話による会話を可能とする手話通信システムを得ることを第二の目的にしている。
【課題を解決するための手段】
【０００６】
この発明に係わる携帯電話においては、手話情報が入力される手話入力部、手話情報と音声情報とを同じ意味を成すように相互に変換する手話音声変換部、通話状態で手話入力部により入力された手話情報から、手話音声変換部により変換された音声情報を基地局に送信すると共に基地局から音声情報を受信する送受信部、及びこの送受信部により受信された音声情報に基づき手話音声変換部により変換された手話情報を表示する表示部を備え、手話音声変換部は、基地局に配置された手話パターンが格納された手話パターンライブラリ及び音声パターンが格納された音声ライブラリを参照して変換を行うものである。
また、この発明に係わる手話通信システムにおいては、通話状態で手話情報を音声情報に変換して送信すると共に受信した音声情報を手話情報に変換する携帯電話、及びこの携帯電話の変換時に参照される手話パターンライブラリ及び音声ライブラリを保有する基地局を備え、携帯電話は、手話情報が入力される手話入力部と、手話情報と音声情報とを同じ意味を成すように相互に変換する手話音声変換部と、手話入力部により入力された手話情報から、手話音声変換部により変換された音声情報を基地局に送信すると共に基地局から音声情報を受信する送受信部と、この送受信部により受信された音声情報に基づき手話音声変換部により変換された手話情報を表示する表示部とにより構成され、基地局は、手話音声変換部により参照される手話パターンが格納された手話パターンライブラリ及び音声パターンが格納された音声ライブラリを有するものである。
【発明の効果】
【０００７】
この発明は、以上説明したように、手話情報が入力される手話入力部、手話情報と音声情報とを同じ意味を成すように相互に変換する手話音声変換部、通話状態で手話入力部により入力された手話情報から、手話音声変換部により変換された音声情報を基地局に送信すると共に基地局から音声情報を受信する送受信部、及びこの送受信部により受信された音声情報に基づき手話音声変換部により変換された手話情報を表示する表示部を備え、手話音声変換部は、基地局に配置された手話パターンが格納された手話パターンライブラリ及び音声パターンが格納された音声ライブラリを参照して変換を行うので、手話の使用者と非使用者間のリアルタイムの会話を可能とするとともに、手話使用者側に特別な装置を設置することなく手話による会話が可能になる。
また、通話状態で手話情報を音声情報に変換して送信すると共に受信した音声情報を手話情報に変換する携帯電話、及びこの携帯電話の変換時に参照される手話パターンライブラリ及び音声ライブラリを保有する基地局を備え、携帯電話は、手話情報が入力される手話入力部と、手話情報と音声情報とを同じ意味を成すように相互に変換する手話音声変換部と、手話入力部により入力された手話情報から、手話音声変換部により変換された音声情報を基地局に送信すると共に基地局から音声情報を受信する送受信部と、この送受信部により受信された音声情報に基づき手話音声変換部により変換された手話情報を表示する表示部とにより構成され、基地局は、手話音声変換部により参照される手話パターンが格納された手話パターンライブラリ及び音声パターンが格納された音声ライブラリを有するので、手話使用者と非使用者間のリアルタイムな会話を可能とするとともに、携帯電話にこの機能を備えたことにより、手話使用者側に特別な装置を設置する必要がなく、携帯電話の利用可能な状況であればどこででも、手話使用者と非使用者間の会話が可能になる。
【発明を実施するための最良の形態】
【０００８】
実施の形態１．
図１は、この発明の実施の形態１による携帯電話を示す概略構成図である。
図１において、本発明の携帯電話は、従来の携帯電話が備えているテンキー及び機能キーなどの操作部１と、操作部１での操作に基づいて、通話の制御及び送受信部２、表示部３、記憶手段４の制御を行う制御部５を備えており、通常の通話、電子メール等のデータ伝送、相手先電話番号の記憶等が可能である。アンテナ６は、送受信部２に接続され、受話部７、送話部８は、それぞれ制御部５に接続されている。
また、カメラ９（手話入力部）が制御部５に接続されており、操作部１で所定の操作を行うことにより、本発明の携帯電話は、カメラ９を用いて手話動作を撮影し、制御部５内にある手話及び音声・文字変換部５ａ（手話音声変換部）（手話文字変換部）にて手話動作から音声もしくは文字情報に変換し、送受信部６より送信する。また送受信部６にて受信した音声もしくは文字情報を制御部５内の手話及び音声・文字変換部５ａにて手話に変換し、表示部３にキャラクターを用いて手話を表示する。
【０００９】
次に、本発明における携帯電話の手話及び音声・文字変換部５ａ部の概略構成について述べる。
図２は、この発明の実施の形態１による携帯電話の手話及び音声・文字変換部の手話情報を音声・文字情報に変換する場合を示す概略構成図である。
図２において、手話パターンライブラリ部１７と音声ライブラリ部１８は、基地局に配置され、必要のつど、手話パターン及び音声パターンが音声・文字変換部に読み出される。
輝度抽出２値化処理部５ａ１１は、カメラ部９に接続され、カメラ部９にて撮影された画像情報から手話パターンとのマッチングに必要な情報を得るため、輝度抽出を行い、画像情報を２値化する。特徴検出画像正規化（スケーリング）部５ａ１２は、輝度抽出２値化処理部５ａ１１と接続され、輝度抽出２値化処理部５ａ１１にて２値化された画像情報に対し、カメラ部９にて撮影された手話映像のサイズが小さいかもしくは大きすぎる場合、基地局の手話パターンライブラリ１７に格納されている手話パターンとのマッチングが行えるよう調整を行う。
【００１０】
動作比較認識部５ａ１４は、特徴検出画像正規化（スケーリング）部５ａ１２、Ｐａｔｔｅｒｎ  Ｂｕｆｆｅｒ部５ａ１５、言語解釈部５ａ１６、文字変換部５ａ１９と接続され、特徴検出画像正規化（スケーリング）部５ａ１２にて調整を行い、正規化された手話情報を基地局の手話パターンライブラリ１７に格納されている手話パターンと比較・認識を行い、結果をＰａｔｔｅｒｎ  Ｂｕｆｆｅｒ部５ａ１５に格納・蓄積し、意味を成す情報に組み替える。言語解釈部５ａ１６は、動作比較認識部５ａ１４、音声変換部５ａ１８と接続され、動作比較認識部５ａ１４から得られた情報を、基地局の音声ライブラリ部１８にある情報と比較・整理し、音声として提供するに適した情報に変換し、音声変換部５ａ１８で音声情報に変換する。文字変換部５ａ１９は、動作比較認識部５ａ１４から得られた情報を文字情報に変換する。
【００１１】
図３は、この発明の実施の形態１による携帯電話の手話及び音声・文字変換部の音声・文字情報を手話情報に変換する場合を示す概略構成図である。
まず、音声情報を手話情報に変換する場合について説明する。
図３において、手話パターンライブラリ部１７と音声ライブラリ部１８は、基地局に配置され、必要のつど、手話パターン及び音声パターンが音声・文字変換部に読み出される。
音声認識部５ａ２１は、送話部８、音声解釈部５ａ２３と接続され、送話部８から入力された音声を、基地局の音声ライブラリ１８部に格納されている音声パターンと比較・認識を行う。言語解釈部５ａ２３では、音声認識部５ａ２１より得られた情報を意味を成す情報に組み替える。
言語比較動作変換部５ａ２５は、言語解釈部５ａ２３、Ｐａｔｔｅｒｎ  Ｂｕｆｆｅｒ部５ａ２７と接続され、言語解釈部５ａ２３より入力された情報を、基地局の手話パターンライブラリ部１７に格納されている手話パターンと比較・変換を行い、結果をＰａｔｔｅｒｎ  Ｂｕｆｆｅｒ部５ａ２７に格納・蓄積し、手話情報へ変換する。３Ｄポリゴンエンジン部５ａ２８は、言語比較動作変換部５ａ２５、表示部３と接続され、言語比較動作変換部５ａ２５より得られた手話情報を表示部３に表示する。
【００１２】
次に、文字情報を手話情報に変換する場合について説明する。
図３に示されるように、文章解釈部５ａ２４は、操作部１と接続され、操作部１より入力された文字情報を解釈し、必要があれば意味をなす情報に組み替える。
言語比較動作変換部５ａ２５は、文章解釈部５ａ２４、Ｐａｔｔｅｒｎ  Ｂｕｆｆｅｒ部５ａ２７と接続され、文章解釈部５ａ２４より入力された情報を、基地局の手話パターンライブラリ部１７に格納されている手話パターンと比較・変換を行い、結果をＰａｔｔｅｒｎ  Ｂｕｆｆｅｒ部５ａ２７に格納・蓄積し、手話情報へ変換する。３Ｄポリゴンエンジン部５ａ２８は、言語比較動作変換部５ａ２５、表示部３と接続され、言語比較動作変換部５ａ２５より得られた手話情報を表示部３に表示する。
【００１３】
次に、携帯電話にて情報変換を行う実施の形態１の手話をリアルタイムに通信するときの動作について説明する。
図４は、この発明の実施の形態１による携帯電話にて手話及び音声・文字を変換する場合を示す図である。
図４において、話者Ａ  Ｆ１ａと話者Ｂ  Ｆ１ｂが、それぞれ携帯電話Ｆ２ａ、Ｆ２ｂを用いて、基地局Ｆ３を介し、それぞれの携帯電話を通話状態にしてリアルタイムに通信を行う。図４は、話者Ａ  Ｆ１ａが音声もしくは文字を使用し、話者Ｂ  Ｆ１ｂが手話を使用する場合を示している。
話者Ａ  Ｆ１ａは、使用する携帯電話Ｆ２ａに対し、携帯電話Ｆ２ａの送話部もしくは操作部により、音声もしくは文字情報を入力する。携帯電話Ｆ２ａは、入力された音声もしくは文字情報を基地局Ｆ３に送信する。基地局Ｆ３は、携帯電話Ｆ２ａからの受信情報を通信相手である話者Ｂ  Ｆ１ｂが使用する携帯電話Ｆ２ｂに送信する。携帯電話Ｆ２ｂは、話者Ｂ  Ｆ１ｂにより手話モードにされた場合、基地局Ｆ３から送信された音声もしくは文字情報を手話情報に変換し、手話情報を携帯電話Ｆ２ｂの表示部に表示する。
携帯電話Ｆ２ｂは、話者Ｂ  Ｆ１ｂがカメラ部より入力した手話情報を音声もしくは文字情報に変換し、基地局Ｆ３に送信する。基地局Ｆ３は、携帯電話Ｆ２ｂから受信した情報を携帯電話Ｆ２ａに送信する。携帯電話Ｆ２ａは、受信した音声もしくは文字情報を携帯電話Ｆ２ａの受話部もしくは表示部により話者Ａ  Ｆ１ａに音声情報もしくは文字情報として提供する。
【００１４】
次に、本発明における携帯電話の手話及び音声・文字変換部５ａにより手話を用いた通信を行う方法について述べる。
図５は、この発明の実施の形態１による携帯電話の手話を音声に変換する動作を示すフローチャートである。
まず、携帯電話が手話モードで（ステップＳ２００でｙｅｓ）、通話モードにある状態で（ステップＳ２０１でｙｅｓ）、カメラ部９に手話の入力があると（ステップＳ２０２でｙｅｓ）、制御部５内の手話及び音声・文字変換部５ａにおいて手話パターンとのマッチングを行い、手話を音声へと変換し（ステップＳ２０３）、基地局へ音声情報を送信する（ステップＳ２０４）。
【００１５】
図６は、この発明の実施の形態１による携帯電話の音声を手話に変換する動作を示すフローチャートである。
まず、携帯電話が手話モードで（ステップＳ２１０でｙｅｓ）、通話モードにある状態で（ステップＳ２１１でｙｅｓ）、アンテナ６から送受信部２に音声情報の入力があると（ステップＳ２１２でｙｅｓ）、制御部５内の手話及び音声・文字変換部５ａにおいて音声情報のパターンマッチングから手話へと変換を行い（ステップＳ２１３）、手話を表示部３に表示する（ステップＳ２１４）。
【００１６】
実施の形態１によれば、携帯電話の手話及び音声・文字変換部により手話情報と音声・文字情報を同じ意味を成すように相互に変換することにより、手話による通信をリアルタイムに行うことができる。
また、携帯電話に手話及び音声・文字変換部を搭載することにより、非手話使用者が手話をゲーム感覚で簡単に使用でき、手話使用者の増加に貢献することができる。
また、手話パターンライブラリ部と音声ライブラリ部を基地局に持たせたので、各携帯電話に持たせる必要がなく、管理しやすくなると共に、携帯電話のメモリの占有も少なくなる。
【００１７】
実施の形態２．
図７は、この発明の実施の形態２による携帯電話基地局を示す概略構成図である。
図７において、本発明の携帯電話基地局は、従来の基地局が備えている携帯電話との通信を行う送受信部１１、変復調部１２及び音声ＣＯＤＥＣ処理を行う音声処理部１３及び送信電力などの制御を行う制御部１４を備えており、通常の通話、電子メール等のデータ伝送等及び送信電力制御等が可能である。アンテナ１６は、送受信部１１に接続され、手話及び音声・文字変換部１５（手話音声変換部）（手話文字変換部）は、音声処理部１３、制御部１４と接続されており、制御部１４の情報に基づきアンテナ１６から変復調部１２、音声処理部１３を通じて得られた手話情報もしくは音声・文字情報を変換し、交換局もしくは携帯電話へ伝送する。
なお、手話及び音声・文字変換部１５の構成は、手話及び音声・文字変換部５ａと同じであり、基地局の手話パターンライブラリ部１７と音声ライブラリ部１８を参照しながら、手話から音声・文字情報への変換は図２により、音声・文字情報から手話への変換は図３のように行われる。
【００１８】
次に、実施の形態２により手話をリアルタイムに通信するときの動作について説明する。
図８は、この発明の実施の形態２による携帯電話基地局にて手話及び音声・文字を変換する場合の情報の流れを示す図である。
図８において、話者Ａ  Ｆ１ａと話者Ｂ  Ｆ１ｂが、それぞれ携帯電話Ｆ２ａ、Ｆ２ｂを用いて、基地局Ｆ３を介し、それぞれの携帯電話を通話状態にしてリアルタイムに通信を行う。図８は、話者Ａ  Ｆ１ａが音声もしくは文字を使用し、話者Ｂ  Ｆ１ｂが手話を使用する場合を示している。
話者Ａ  Ｆ１ａは、使用する携帯電話Ｆ２ａに対し、携帯電話Ｆ２ａの送話部もしくは操作部により、音声もしくは文字情報を入力する。携帯電話Ｆ２ａは、入力された音声もしくは文字情報を基地局Ｆ３に送信する。
一方、話者Ｂ  Ｆ１ｂは、話者Ａ  Ｆ１ａと通信する際に、手話モードを使用する旨、携帯電話Ｆ２ｂに入力する。携帯電話Ｆ２ｂは、話者Ｂ  Ｆ１ｂが手話モードを使用する旨、基地局Ｆ３に通知する。
【００１９】
基地局Ｆ３は、携帯電話Ｆ２ｂから話者Ｂ  Ｆ１ｂが手話モードを使用するとの情報を受信した場合、話者Ｂ  Ｆ１ｂへの情報を手話情報とする旨記憶し、携帯電話Ｆ２ａから受信した音声もしくは文字情報を手話情報に変換し、携帯電話Ｆ２ｂに送信する。携帯電話Ｆ２ｂは、基地局Ｆ３から受信した手話情報を表示部を用い、話者Ｂ  Ｆ１ｂに提供する。
携帯電話Ｆ２ｂは、話者Ｂ  Ｆ１ｂがカメラ部より入力した手話情報を基地局Ｆ３に送信する。基地局Ｆ３は、携帯電話Ｆ２ｂから話者Ｂ  Ｆ１ｂが手話モードを使用するとの情報を受信もしくは記憶情報より得て、携帯電話Ｆ２ｂから受信した手話情報を音声もしくは文字情報に変換し、携帯電話Ｆ２ａに送信する。携帯電話Ｆ２ａは、基地局Ｆ３より受信した音声もしくは文字情報を受話部もしくは表示部を用いて、話者Ａ  Ｆ１ａに提供する。
【００２０】
次に、本発明における基地局にて手話及び音声・文字変換部１５により手話を用いた通信を行う方法について述べる。
図９は、この発明の実施の形態２による携帯電話の手話を音声に変換する動作を示すフローチャートである。
まず、携帯電話が手話モードで（ステップＳ２２０でｙｅｓ）、通話モードにある状態で（ステップＳ２２１でｙｅｓ）、カメラ部９に手話の入力があると（ステップＳ２２２でｙｅｓ）、携帯電話は手話モードであるという制御情報と共に、手話情報を含む動画情報を送受信部２よりアンテナ６を通じて基地局へ送信する（ステップＳ２２３）。
基地局ではアンテナ１６から送受信部１１、変復調装置１２、音声処理装置１３、制御部１４を通じて手話モードであるという制御情報と手話情報を含む動画情報から、手話及び音声・文字変換部１５において手話パターンとのマッチングを行い、手話を音声へと変換し（ステップＳ２２４）、交換局へ音声情報を伝達する。
【００２１】
図１０は、この発明の実施の形態２による携帯電話の音声を手話に変換する動作を示すフローチャートである。
まず、携帯電話が手話モードで（ステップＳ２３０でｙｅｓ）、通話モードにある状態で（ステップＳ２３１でｙｅｓ）、基地局のアンテナ１６から送受信部１１に音声情報の入力があると（ステップＳ２３２でｙｅｓ）、手話及び音声・文字変換部１５において音声情報のパターンマッチングから手話へと変換を行い（ステップＳ２３３）、送受信部１１よりアンテナ１６から携帯電話に手話情報を伝送する（ステップＳ２３４）。携帯電話では、アンテナ６より送受信部２を通じて得た手話情報を制御部５を通じて表示部３に表示する（ステップＳ２３５）。
【００２２】
実施の形態２によれば、携帯電話基地局の手話及び音声・文字変換部により手話情報と音声・文字情報を同じ意味を成すように相互に変換することにより、手話による通信をリアルタイムに行うことができる。
また、携帯電話基地局に手話及び音声・文字変換部を設けることにより、非手話使用者が携帯電話を使って手話をゲーム感覚で簡単に使用でき、手話使用者の増加に貢献することができる。
【００２３】
なお、上記実施の形態１及び実施の形態２の説明では、手話情報もしくは音声・文字情報のいずれかを伝送する手段について述べたが、音声もしくは文字情報と手話情報とを共に伝送する手法も考えられる。
【図面の簡単な説明】
【００２４】
【図１】この発明の実施の形態１による携帯電話を示す概略構成図である。
【図２】この発明の実施の形態１による携帯電話の手話及び音声・文字変換部の手話情報を音声・文字情報に変換する場合を示す概略構成図である。
【図３】この発明の実施の形態１による携帯電話の手話及び音声・文字変換部の音声・文字情報を手話情報に変換する場合を示す概略構成図である。
【図４】この発明の実施の形態１による携帯電話にて手話及び音声・文字を変換する場合の情報の流れを示す図である。
【図５】この発明の実施の形態１による携帯電話の手話を音声に変換する動作を示すフローチャートである。
【図６】この発明の実施の形態１による携帯電話の音声を手話に変換する動作を示すフローチャートである。
【図７】この発明の実施の形態２による携帯電話基地局を示す概略構成図である。
【図８】この発明の実施の形態２による携帯電話基地局にて手話及び音声・文字を変換する場合の情報の流れを示す図である。
【図９】この発明の実施の形態２による携帯電話の手話を音声に変換する動作を示すフローチャートである。
【図１０】この発明の実施の形態２による携帯電話の音声を手話に変換する動作を示すフローチャートである。
【符号の説明】
【００２５】
１  操作部
２  送受信部
３  表示部
４  記憶手段
５  制御部
５ａ  手話及び音声・文字変換部
６  アンテナ
７  受話部
８  送話部
９  カメラ
１１  送受信部
１２  変復調部
１３  音声処理部
１４  制御部
１５  手話及び音声・文字変換部
１６  アンテナ
１７  手話パターンライブラリ部
１８  音声ライブラリ部
５ａ１１  輝度抽出２値化処理部
５ａ１２  特徴検出画像正規化（スケーリング）部
５ａ１４  動作比較認識部
５ａ１５  Ｐａｔｔｅｒｎ  Ｂｕｆｆｅｒ部
５ａ１６  言語解釈部
５ａ１８  音声変換部
５ａ１９  文字変換部
５ａ２１  音声認識部
５ａ２３  言語解釈部
５ａ２４  文書解釈部
５ａ２５  言語比較動作変換部
５ａ２７  Ｐａｔｔｅｒｎ  Ｂｕｆｆｅｒ部
５ａ２８  ３Ｄポリゴンエンジン部
【図１】
2005197889.tif 000003
【図２】
2005197889.tif 000004
【図３】
2005197889.tif 000005
【図４】
2005197889.tif 000006
【図５】
2005197889.tif 000007
【図６】
2005197889.tif 000008
【図７】
2005197889.tif 000009
【図８】
2005197889.tif 000010
【図９】
2005197889.tif 000011
【図１０】
2005197889.tif 000012